(57)【要約】この発明のメガネフレームのツル接続構造は、フロントフレームの両側に球面軸の挟持部を設け、ツル端部を継手材を介して球面軸の中心軸に回転自在に接続し、挟持部は球面軸を任意の方向に微調整自在に挟持、固定して構成されている。このため、使用者の顔、鼻、耳の形状、大きさに対応してツルの開き、ツルの上下方向の向き、ツルの捩りを最適に調整できる。
2004013679.tif 000002
【特許請求の範囲】
【請求項１】
メガネフレームのフロント部両側に球面軸の挟持部を設け、この挟持部に嵌合される球面軸には中心軸を中心にツルを所定角度分回転させ開閉自在となるようにツル端部の継手材が連結され、上記挟持部は球面軸を任意の方向に微調整自在に挟持、固定し得るように構成したメガネフレームのツル接続構造。
【請求項２】
前記挟持部をフロント部のリム外側に突出して設け、突出した挟持部を上下２つに切断し、上下挟持部をねじ軸で締結する締結力を伝達して上下挟持部により球面軸に挟持圧を加えるように形成し、球面軸を任意の方向に選択的に設定した状態でこの挟持圧により球面軸を挟持、固定して微調整自在としたことを特徴とする請求の範囲第１項に記載のメガネフレームのツル接続構造。
【請求項３】
前記球面軸を上下に分割した２つの半球体から形成し、ツル端部の継手材を両半球体の互いに対向する面間に挟んで両半球体間に設けた軸を中心に両半球体に対して回転自在に、かつ継手材を両半球体に対しツルの開き角度を所定角度に制限する角度制限手段を介して接続したことを特徴とする請求の範囲第１項又は第２項に記載のメガネフレームのツル接続構造。
【請求項４】
前記両半球体の互いに対向する側で一方の半球体には軸とピンを突出して設け、他方の半球体には軸溝とピン溝を設け、ツル端部の継手材に軸を挿通する軸穴とピンを遊嵌する円弧状のガイド溝をピン溝に対応して設け、ピン溝及びガイド溝をツルが所定角度分回転し得る範囲に設けてツルの開き角度を制限する角度制限手段としたことを特徴とする請求の範囲第３項に記載のメガネフレームのツル接続構造。
【請求項５】
前記球面軸を、球体に中心点を通る軸を嵌合させ、球体に軸と直交する方向のスリットを設けて形成し、ツル端部の継手材をスリットに挿入して継手材に設けた軸穴に嵌合される軸を中心に球体に対して回転自在に、かつスリットを所定角度範囲に設けてツルの開き角度を所定角度に制限する角度制限手段を介して接続したことを特徴とする請求の範囲第１項又は第２項に記載のメガネフレームのツル接続構造。
【請求項６】
前記上下挟持部の互いに対向する面に球面軸を受入れる球面軸受座を形成したことを特徴とする請求の範囲第２項乃至第５項のいずれかに記載のメガネフレームのツル接続構造。
【請求項７】
前記球面軸受座にゴム摩擦材を設けたことを特徴とする請求の範囲第６項に記載のメガネフレームのツル接続構造。
【請求項８】
メガネフレームのフロント部両側に球面軸の挟持部を設け、この挟持部に嵌合される球面軸にはツルを所定角度分回転させ開閉自在となるようにツル端部が回転自在に連結され、上記ツル端部は球面軸の中心に貫設した軸を中心に回転自在に設けられて成るメガネフレームのツル接続構造。
【請求項９】
前記挟持部を、フロント部のリム外側に突出して設けた前挟持部と、上記リム外側の裏側に設けた固定部材に突出して形成された後挟持部とから形成し、この前後挟持部に球面軸を挟持、固定したことを特徴とする請求の範囲第８項に記載のメガネフレームのツル接続構造。
【請求項１０】
前記球面軸を、球体の中心点を通る軸を球体に嵌合させて形成し、この中心軸に切欠きを形成して球体の外から螺合したねじ軸の先端を切欠きに係止することにより軸の回転角度を所定角度に制限する角度制限手段を設けたことを特徴とする請求項第８項又は第９項に記載のメガネフレームのツル接続構造。
【発明の詳細な説明】
【技術分野】  この発明は、メガネフレームのフロントフレームの両端にツル（弦）を折畳み出来るように接続するためのツル接続構造に関する。
【背景技術】  一般的なメガネフレームは、縁無しメガネを除き、レンズを囲む２つのリムを連結金具で連結し、リムの両端に直接設けた継手部を介して、又はリム両端に設けたＬ字状のヨロイに継手部を介してツルが連結され、連結金具又はリムに鼻当てが設けられて形成されている。特に、後者の継手部によるツル接続構造では薄いコ字状の蝶番が一般に用いられる。
コ字状の蝶番に回転支軸として設けられているねじ軸は、ツルの開閉により少しずつゆるむことがあり、これを避けるためねじ軸を用いない蝶番として特開平８−６８９７３号公報（特許文献１）には、ツル端に球体を連結し、この球体の赤道線の上下位置で２本の線状体で球体を少なくとも円周の１／２以上囲むように設け、ツルをＬ字状のヨロイに対し回転自在に連結する蝶番の例が示されている。
同様な球体を用いた蝶番の例として、登録実用新案公報第３００２３４２号公報（特許文献２）には、ヨロイ端に固定部材、ツル端と固定部材間に屈曲部材を設け、固定部材は一端開放した凹部に球面軸受面を形成して成り、屈曲部材はねじ軸で屈曲し得るように連結された２つの部材を有し、その一方はツル端に固定され、他方の部材に一体に形成された球面軸を固定部材の球面軸受面に嵌合して成り、球面軸外面および軸受面にはそれぞれ小さい凸片又は凹部を複数個等間隔に設け、凸片と凹部を嵌合させて噛み合わせ、その噛合わせ位置を変更可能とした蝶番の例が示されている。
又、上記コ字状の蝶番の改良例として、実開昭６２−３５３２２号公報（特許文献３）では、ヨロイ端に球状の軸受部材を設け、この球体にはツル端に設けたカム形状のフランジ部材が嵌合するスリットが設けられ、スリットにフランジ部材を挿入して球体とフランジ部材に上下に貫設されるねじ軸をねじ込んで、ツルを回転自在に連結している。メガネの不使用時にツルを内側に折り畳むとフランジ部材の角がカム形状にカットされているため球体の外へ突出せず、外観的に突出部や角張ったところがないようにしたものである。
ところで、メガネフレームは着用する際にツルを耳に掛け、フロントフレームを鼻当てパッドで支持して顔に密着させ、顔が動いても顔に安定して着用できなければならない。しかし、耳の高さ、顔形は必ずしも鼻を中心として完全に対称ではなく、左右のツル、鼻当てパッドを完全に平行に設けるとフロントフレームを水平に正しく位置させることができない場合がある。
このような不都合が生じないようにするため、前記従来の一般的なメガネフレームでは、鼻当てパッドが鼻に適正に当るようその脚部を適度に曲げ調整される。又、Ｌ字状のヨロイを曲げ調整したり、捩り調整する場合もある。この調整はヨロイを工具で挟んで行われるが、作業が非常に難しく熟練を要し、ヨロイが外れることもある。金属製のメガネフレームは、ツル及びその先端（モダン）が耳に合うようヨロイを上記のように曲げたり捩ったりするが、サングラスや偏光レンズメガネのように樹脂製のメガネフレームが用いられる場合は、ヨロイがないため、ツルを曲げたり捩ったりして調整しなければならない。
特許文献１の蝶番による接続構造では、軸継手としてねじ軸が用いられていないため、ねじ軸がゆるむことはない。又、ツル端の球体を線状体に対し回転させることによりツルを折畳みでき、又ツルをヨロイに対し捩ることもできるから、ツルの調整が容易である。しかし、この接続構造はヨロイに相当する智及び線状体を実際は必要とし、従ってヨロイのないメガネフレームには直接適用できない。
特許文献２の蝶番による接続構造では、屈曲部材の軸ねじを中心にツルを折畳むことができ、ツルの開き角度又はツルのねじり方向を調整したいときは球面軸と球面軸受面との嵌合状態を変えることにより調整できる。しかし、この接続構造も、ツルの端に形成されているものであり、ツルのないメガネフレームには適用できない。又、嵌合状態を変える調整は、球面軸と球面軸受面との小さな凸片、凹部の嵌合状態を強制的に異なる状態に変化させるものであり、屈曲部材がこわれたり、異なる状態が行き過ぎたりすると、微調整は困難である。
特許文献３の蝶番による接続構造では、球状の軸受のねじ軸を中心にツルを折畳むことができ、折畳んだ際にツル端のブラケット板の端が球状軸受から突出することはない。しかし、球状軸受は球体がヨロイに固定されているため、ツルをその軸方向に捩ることはできないから、ツルの捩り調整等は前述した一般的な従来例と同様に困難である。
この発明は、上述した種々の問題点に留意して、ツルの開き角度、ツルの上下方向の向き、ツルの捩りを含む微調整が容易で、微調整後はツルの端をフロントフレームにしっかりと挟持、固定し得るメガネフレームのツル接続構造を提供することを課題とする。
【発明の開示】
この発明は、メガネフレームのフロント部両側に球面軸の挟持部を設け、この挟持部に嵌合される球面軸には中心軸を中心にツルを所定角度分回転させ開閉自在となるようにツル端部の継手材が連結され、上記挟持部は球面軸を任意の方向に微調整自在に挟持、固定し得るように構成したメガネフレームのツル接続構造としたのである。
このような接続構造とすることにより、ツル（弦）は球面軸の中心軸を中心としてその周りに回転自在に設けられた継手材を介して所定角度の範囲内で自由に開閉できる。挟持部は球面軸に対して任意の方向に微調整自在に設けられている。従って、挟持部の挟持圧を緩めれば、球面軸は挟持部に対して任意の方向に自由に動かすことができる。このとき、球面軸はツルの開き角度を適切な範囲に設定することは勿論、ツルの上下方向の向き、及びツルの捩りについても球面接触面を利用して微調整できる。
球面軸を挟持、固定する挟持部は、リム外側に突出して形成されているが、このリム端に延長して形成される挟持部はリム端を含めて上、下挟持部に２分割して形成することができ、あるいはリムの前後に分割して形成することもできる。いずれの場合も、２つに分割されたリム端を互いに締結するねじのような締結手段で２つの部材を締結し、この締結力が挟持部に伝達され、上下又は前後の挟持部による挟持圧に転換されて球面軸を挟持、固定することとなる。
上記ツルの開き角度、ツルの上下方向の向き、及びツルの捩りを微調整する場合、上記締結力を少し緩めておき、その状態で球面軸の挟持部に対する設定状態を強制的に変化させ、メガネフレームを使用する人の顔、鼻、耳とに対して最適な方向に微調整する。従来は、このような微調整の際、特にツルの上下方向の向きと捩りは、工具でツルを挟んで他の工具で強制的に力を加えて調整していたが、このような危険な作業は、上記の微調整により不要となる。
球面軸は２つの半球体を継手材を挟んで合体させて球体を形成させ、継手材をこの球面軸の中心軸に対しその周りに回転できるようにしてもよいし、完全球体にスリットを設けて中心軸の周りに回転できるようにして球面軸に継手材を接続するようにしてもよい。この場合、ツルの回転角度を所定角度に制限するため球面軸に対し角度制限手段を介して接続する。
また、上記構成では継手材を介してツル端に球面軸を取り付けているが、継手材を省略し、ツル端に挟持アームを形成し、その挟持アームを挟持部に挟持、固定されている球面軸に直接取り付けてもよい。
このような形式とする場合、メガネフレームのフロント部両側に球面軸の挟持部を設け、この挟持部に嵌合される球面軸にはツルを所定角度分回転させ開閉自在となるようにツル端部が回転自在に連結され、上記ツル端部は球面軸の中心に貫設した軸を中心に回転自在に設けられて成るメガネフレームのツル接続構造とすることができる。
この場合も、ツルの開閉、ツルの上下方向の微調整は少なくとも可能である。又、上記いずれの構成のツル接続構造を採用した場合も、ツルの上下方向の微調整が可能であるから、人種によって鼻、目のくぼみ、耳の形状、大きさが異なる場合でも、フロントフレームのツルに対する接続傾斜角度を容易に微調整でき、従って世界中の人に適合するメガネフレームを提供できることとなる。
【図面の簡単な説明】  図１は第１実施形態のツル接続構造を含むメガネフレームの（ａ）部分背面図、（ｂ）ツルの要部平面図、（ｃ）分解側面図、図２は同メガネフレームの（ａ）部分側面図、（ｂ）球面軸部の分解斜視図、図３は（ａ）図１の矢視ＩＩＩａ−ＩＩＩａ断面図、（ｂ）同メガネフレームの要部斜視図、（ｃ）球面軸とツルの仮想中心軸との関係の説明図、図４は第２実施形態のツル接続構造を含むメガネフレームの（ａ）部分背面図、（ｂ）（ａ）図のＢ−Ｂ断面図、図５は同メガネフレームのツル部分の（ａ）部分平面図、（ｂ）Ａ−Ａ断面図、（ｃ）（ｂ）図のＢ−Ｂ断面図、図６は（ａ）部分背面図、（ｂ）（ａ）図のＢ−Ｂ断面図、図７は（ａ）メガネフレームの要部斜視図、（ｂ）球面軸とツルの仮想中心軸との関係の説明図、（ｃ）（ａ）図の要部背面図、図８は第３実施形態のツル接統構造を含むメガネフレームの斜視図、図９はメガネフレームの要部分解斜視図、図１０はツル接続構造部の（ａ）拡大横断面図、（ｂ）（ａ）図の矢視Ｂ−Ｂ断面図、（ｃ）分解斜視図、図１１は図８の鼻当て部の（ａ）要部拡大縦断正面図、（ｂ）矢視Ｂ−Ｂ拡大断面図、（ｃ）矢視Ｃ−Ｃ断面図、図１２は鼻当て部を内側から見た分解斜視図、図１３は使用状態を示す一点鎖線平面図である。
【発明を実施するための最良の形態】  以下、この発明の実施形態について図面を参照して説明する。図１は第１実施形態のメガネフレームのツル接続構造を示す（ａ）部分正面図、（ｂ）球面軸を含むツルの部分平面図、（ｃ）球面軸及びツル端部の分解側面図である。図示のメガネフレームは、色メガネ又は偏光レンズ用のフレームであり、レンズ１及びリム２、ツル７、さらに図示しない両リムの連結材、鼻当てパッドもプラスチック樹脂材を用いて形成され、メガネフレームのフロント部を構成している。又、リム２はレンズ１の全周を囲む形式のリムであり、上リム２ａと下リム２ｂはそれぞれの外側の境界域で分割線３により上下に分割され、別々に成形されたものを組合わせてねじ軸６により一体に連結されている。
リム２の外側には挟持部４が突出して設けられ、この挟持部４はその中間部分が、図示のようにＵ字状で所定の深さに対向面４ｆ、４ｆの位置でカットされ、かつ挟持部４まで延長された分割線３で上挟持部４ａ、下挟持部４ｂの２つに分割されている。そして、上挟持部４ａと下挟持部４ｂ間のカットされたスペースに球面軸５の上下端部が嵌合されて挟持、固定される。対向面４ｆ、４ｆの奥側内面には凹状球面に形成された球面軸受座４ａｓ、４ｂｓが設けられ、球面軸５の上下端部はこの球面軸受座４ａｓ、４ｂｓで球面状に接触するように嵌合される。
上、下挟持部４ａ、４ｂで球面軸５を挟持、固定するための締結手段として、その基部位置に設けられた穴６ｈにねじ軸６を挿入し、ねじ軸６ａの先端の雄ねじ６ａを上挟持部４ａ側の雌ねじに螺合させて締付ける部材が設けられている。穴６ｈは下挟持部４ｂに異径段状に設けられている。
球面軸５は、図１及び図２の（ｂ）図に示すように、２つの半球体５ａ、５ｂから成り、ツル７に補強及び装飾のために設けられた金属製の芯材８をツル７の端から延長して形成した継手材１１を２つの半球体５ａ、５ｂの間に挟んでツル７の端に一体に予め設けられている。２つの半球体５ａ、５ｂを球状に組合わせたものを球面軸５とこの例では呼んでいるが、ツル７を開閉自在に、かつ捩り方向にも回転させることができ、その際の中心となっているからであり、作用の詳細は後で説明する。
球面軸５の２つの半球体５ａ、５ｂは、互いに対向する面側で、その一方（図示の例では５ｂ）に軸９ｂとピン１０ｂを、他方５ａには軸穴９ａとピン穴１０ａが設けられ、継手材１１には軸９ｂを挿通させる穴１２と、ピン１０ｂを挿通させ、ツル７を所定回転角度内で開閉させる際の案内部材であり、かつその回転角度を所定角度内に制限する制限手段として形成されるガイド溝１３とが設けられている。
なお、図１の（ａ）図ではツル７を見せるためツル７がリム２の面と平行状となる位置まで開いた状態を便宜上示しているが、実際には上記ガイド溝１３により２つのツル７、７が互いにほぼ平行となる角度までしか開くことはできない。しかし、（ａ）図ではツル７の端部付近の接続構造を示すため、便宜的な図示をしている。詳細な接続構造及び開閉角度については図２、図３に示しており、後で説明する。
上記の構成とした第１実施形態のメガネフレームのツル接続構造は、図２の（ａ）図に示すように、リム２の外側にツル７を接続するように組立てられる。下方の半球体５ｂの軸９ｂを継手材１１の軸穴１２に挿通させ、ピン１０ｂをガイド溝１３に遊嵌させ、上方の半球体５ａを被せて軸９ｂを軸穴９ａ、ピン１０ｂをピン穴１０ａに嵌合させる。このようにしてツル７の端に一体に設けた球面軸５を上、下挟持部４ａ、４ｂ間のスペースに嵌合させる。
その後２つのツル７、７を互いにほぼ平行状態となるように上、下挟持部４ａ、４ｂを細いねじ軸６により締結すると、上、下挟持部４ａ、４ｂを締付ける力が球面軸５への押圧力として与えられ、球面軸５は上、下挟持部４ａ、４ｂに挟まれて強固に固定される。従って、通常の力では球面軸５がリム２に対して挟持、固定された状態は変化しない。メガネ使用時には２つのツル７、７を互いにほぼ平行状となるまで開いて顔に着用する。
このとき、ツル７は継手材１１が球面軸５の軸９ｂを中心としてその周りに、かつ図３の（ｂ）図中の矢印Ｆの方向に所定角度回転し、平行状となる。この所定角度となるようにピン１０ｂがガイド溝１３により案内され、かつ所定角度内に制限されて止まる。なお、２つの半球体５ａ、５ｂで継手材１１を挟んで組立てる際に、両半球体５ａ、５ｂによって継手材１１を強く締付けない程度に設定するように、軸９ｂの長さ及び軸穴９ａの深さは適当な寸法に設けられている。
一方、メガネを着用するためにツル７の設定状態を調整する場合、ねじ軸６による両挟持部４ａ、４ｂ間の締付力を若干緩めておき、ツル７の開き角度が最適となる位置に球面軸５の設定状態を、継手材１１を指で押すことにより変化させて微調整する。又、このとき同時に図３の（ｂ）図、（ｃ）図に示すように、ツル７の長さ方向の中心軸７ｘの周りのＲ方向にも球面軸５を回転させてツル７を捩り、さらに記号Ｈで示す上下方向にもツル７の向きを変えて微調整する。上記任意の方向に選択的に向きを設定した後再びねじ軸６を締結する。
従って、この実施形態のツル接続構造によれば、リム端の上下挟持部４ａ、４ｂ間をねじ軸６で締結する締結力を伝達して上下挟持部４ａ、４ｂにより球面軸５に挟持圧を加えるように挟持部４を形成し、球面軸５を任意の方向に選択的に設定した状態でこの挟持圧により球面軸５を挟持、固定するようにしたから、球面軸５は任意の方向に微調整自在である。
図４は第２実施形態のメガネフレームのツル接続構造の（ａ）部分正面図（内側からみた図）、（ｂ）部分断面平面図である。この実施形態のメガネフレームも特記しない限り、第１実施形態とその目的、用途、材料は同じである。但し、第１実施形態ではリム２端及び挟持部４は分割線３で上リム２ａ、下リム２ｂ、及び上、下挟持部４ａ、４ｂの２つにそれぞれ分割されていたが、この実施形態ではリム２、挟持部４を上、下に分割はせず、後述するようにリム２は一体に、また、挟持部４は前後に配置された前・後挟持部４Ｆ、４Ｒにより形成されている。
リム２の側端部１５の外側には挟持部４の一方の前挟持部４Ｆが突出して形成され、側端部１５に対向して反対側には固定部材１４が設けられ、固定部材１４の外側に後挟持部４Ｒが突出して形成されて挟持部４が構成されている。固定部材１４は側端部１５に対応して上下方向に設けられ、側端部１５にねじ１６で止められている。
そして、前・後挟持部４Ｆと４Ｒの間に球面軸５を挟持、固定している。従って、球面軸５への挟持圧はねじ１６による固定部材１４の側端部１５に対する締結力が伝達されて作用する。前・後挟持部４Ｆ、４Ｒは、第１、第２実施形態と同様に、球面軸５を受ける面に球面軸受座４ＦＳ、４ＲＳがそれぞれ設けられ、球面軸５の前後部を受けて挟持し、固定している。
また、球面軸５は、この実施形態では図５に示すように、球体が用いられており（２分割はしていない）、この球面軸５に対しツル７の端部が連結されている。ツル７の端部は、分岐スペース７ｗを設けて２つのフォーク状のアームの先端に上端部７ａと下端部７ｂが形成され、この上、下端部７ａ、７ｂ間に球面軸５が連結されている。球面軸５にはその中心を上下に貫通する軸穴が設けられ、この軸穴に軸１７が回転自在に嵌合されている。
軸１７には上、下端部７ａ、７ｂからねじボルト２０、２０がねじ込まれて上、下端部７ａ、７ｂを軸１７に連結している。軸１７の中央部には切欠き１８が形成され、球面軸５の側方に設けたねじ穴にねじ１９が螺合されるとその内側端部の突出状態により軸１７の回転角度が所定範囲内となるように規制され、回転角度規制手段を形成している。なお、上、下端部７ａ、７ｂにも、球面軸５を受ける面に球面軸受座７ａｓ、７ｂｓが設けられている。
上記の構成としたこの実施形態のメガネフレームのツル接続構造は、ツル７の端部がリム２の端に球面軸５を介して直接に接続されている点が第１、第２実施形態と異なる。また、挟持部４は、固定部材１４をリム２の側端部１５に対しメガネの内側から外側へ向って固定し、それぞれの突出端に設けた前・後挟持部４Ｆ、４Ｒで球面軸５を挟持し、固定する点も異なる。
しかし、球面軸５が、固定部材１４をねじ１６で締結する力を前・後挟持部４Ｆ、４Ｒへ伝達して挟持、固定される点は同じである。従って、球面軸５の挟持、固定状態を任意の方向に選択的に設定した状態で挟持圧により球面軸を挟持、固定することができ、球面軸５を任意の方向に微調整自在に設定できることも同じである。
又、球面軸５を所定の方向に設定して挟持、固定する際に、ねじ１６を少し緩めておき、図７の矢印Ｆで示すツル７の開き角度を所定の角度範囲内で設定し、かつ矢印Ｈで示す上下方向にも微調整して、球面軸５を挟持、固定できる点も同じである。しかし、前後挟持部４Ｆ、４Ｒで挟持、固定した球面軸５に対し、ツル７の上、下端部７ａ、７ｂが直交する方向に接続されているため、ツル７をその長さ方向の軸を中心として捩ることはできない。
図８以下に第３実施形態のツル接続構造を適用したメガネフレーム（レンズ含む）の外観斜視図を示す。この実施形態のツル接続構造は、第１実施形態の一部変形例であり、以下相違点を中心に説明し、同一構成、機能の部材は同一符号を付して説明を省略する。この実施形態では、上下挟持部４ａ、４ｂは分割線３で分割されているが、分割線３は斜めに外側へ向って上がるように分割されており、この分割線３と対称に外側へ向って下勾配の彫刻線３’が設けられ、球面軸５を受ける付近の下挟持部４ｂの上端は彫刻線３’の延長線上でカットされ、そこに形成されるスペース内に球面軸５が嵌合されている。
彫刻線３’は、下挟持部４ｂの表面が少し削られているだけあり、分割線３、彫刻線３’はメガネフレームを正面から見たとき、Ｖ字状の装飾線として見えるようにし、モダンな現代感覚を得ることができる外観を呈するように設けたものである。又、球面軸５は、図９、図１０に示すように、球体が用いられており、その中間高さ位置にスリット５ｓが設けられ、かつ中心位置を通る垂直の軸穴５ｈには軸５ｘが挿入される。
軸５ｘを挿入する前にスリット５ｓにはツル７の端部の継手材１１が挿入され、継手材１１に設けられている軸穴に軸５ｘを挿通することによりツル７が球面軸５に一体に連結される。スリット５ｓは、図１０に示すように、継手材１１の厚さより少し深く設けられ、かつツル７を図中の矢印Ｆで示す所定角度範囲内で軸５ｘの周りに回転自在に設けられている。所定角度範囲の両端では継手材１１がスリット５ｓの両端の壁に当って回転が阻止されるから、スリット５ｓは角度制限手段の役目もする。
さらに、図１０の（ｃ）図に示すように、上下挟持部４ａ、４ｂの球面軸５を受ける面は、第１実施形態と同様に凹状球面状の球面軸受座４ａｓ、４ｂｓが形成されており、その中央には球面軸５の固定状態の変動を防ぐためゴムシート４Ｒ、４Ｒがそれぞれ挿置され、球面軸５に摩擦係合するように設けられている。又、球面軸５の表面には、同じく固定状態の変動を防ぎ、かつ球面軸５を装飾的に見せるため、銀色の滑り止め皮膜が薄く塗布されている。
上記の構成とした第３実施形態のツル接続構造によれば、ツル７の端に設けた継手材１１に球面軸５を連結し、球面軸５を上下挟持部４ａ、４ｂで挟持、固定するように構成したから、基本的な構成は大略第１実施形態と同じであり、従ってツル７の通常使用時の開閉や、球面軸５の固定時の調整も第１実施形態と全く同じ機能が得られる。但し、角度制限手段として球面軸５のスリット５ｓを用いているから、第１実施形態より丈夫であり、ツル接続構造が壊れ難いという点で有利である。又、球面軸５を挟持する上下挟持部４ａ、４ｂの境界にＶ字カットの装飾線が設けられているため、外観が洒落た現代的な印象を与える。
この第３実施形態のツル接続構造を適用したメガネフレームは、図８に示すように、鼻当て部２０及びツル７の先端のモダン７ａに対し新しい工夫が加えられている。鼻当て部２０は、鼻当てパッド２１を有する鼻当てフレーム２２を、左右の下リム２ｂの中央付近の連結フレーム２３上に嵌合させ、かつ上リム２ａの中央付近の連結部付近に設けた押え部材２４を上から嵌合させ、連結フレーム２３から鼻当てフレーム２２を貫通してねじボルト２５を挿通し、押え部材２４を締結することによってメガネフレームの中央部付近を一体化構造としたものである。
鼻当てフレーム２２は鼻当てパッド２１を一体に形成すると共に連結フレーム２３に重ねて接合され、これによってレンズ１を下リム２ｂ内に固定する際の押え部材としての役目も兼ねている。鼻当てフレーム２２は、中央上端のＶ字フレーム２２ｖを連結フレーム２３の上端のＶ字受２３ｖに嵌合させてレンズ１を固定する。さらにＶ字フレーム２２ｖの上に押え部材２４とその下向きの突部２４ａ、２４ａを嵌合させて１本のねじボルト２５により全部材を固定するようになっている。
このように、鼻当て部２０は、連結フレーム２３に対しねじボルト２５の１本でしっかりと着脱自在に固定できるように上リム２ａと下リム２ｂの中央連結部に挿入する形式を採用している。鼻当てフレーム２２は、連結フレーム２３に沿って着脱固定されるが、鼻当てパッド２１は、その形状、大きさについて上、下リム２ａ、２ｂの影響を受けず、使用する人の鼻の形状に適合すればよい。
従って、鼻当てパッド２１の形状、寸法を、予め色々な鼻の形、大きさを想定して各種揃えておき、使用する人毎にその人の鼻に適合するものを選択して使用することが可能となる。例えば、東洋系、欧米系など、それぞれ世界各地の人々の鼻の形状、大きさに応じて鼻当てパッド２１の寸法さえ適合すれば、世界各国の人々に共通に使用できるメガネフレームとして利用できることとなる。
さらに、ツル７の端のモダン７ａは、図８に示すように、その部材下端面に波形部７ｂが複数箇所設けられている。この波形部７ｂは、そのピッチが、顔や頭の大きさに応じて耳の付根位置が異なるため、これもやはり世界各地の人々の耳の位置がそれぞれ異なっても全て適合するようにするためである。
図１３は第３実施形態のメガネフレームの使用状態の説明図である。ツル７は未使用状態では実線で示すように先端が少し内側へ向いた状態に形成されているが、顔に着用した使用状態では一点鎖線で示す状態に広がる。実線状態でツル７は外側への制限角度限度まで広げられているが、使用状態ではツル７の弾性により広がっている。
なお、図９に示すように、この実施形態のメガネフレームでは、上、下リム２ａ、２ｂの中央位置付近にはリム縁の奥側に部分エッジ２８ａＥ、２ｂＥが設けてあり、左右のリム２の連結フレーム２３に嵌合される鼻当てフレーム２２と連結フレーム２３との間、及び上記２つの部分エッジ２ａＥ、２ｂＥの３箇所でレンズ１はリム２にしっかりと固定されるように形成されている。
このように、３箇所でレンズ１を保持、固定する構成としたことによりレンズ１は歪みを生じることなく保持、固定することができる。従来、一般にリム全周でそのリム縁によりレンズ１を挟持すると、リムの歪みによりレンズ１が歪むという不都合を回避できるのである。
また、この発明のツル接続構造の実施形態について３つの例を示したが、上記例以外にも種々の改変を加えることができる。それぞれの改変は、この発明の趣旨の範囲内で適用されるものであり、この発明の範囲に含まれることは、当業者であれば明白であろう。
【産業上の利用の可能性】
以上詳細に説明したように、この発明のメガネフレームのツル接続構造は、一般的なメガネフレームは勿論、サングラス、あるいは偏光メガネのいずれにも広く適用できる。特に、サングラスや偏光メガネは、東洋系、欧米系のような世界の人々の顔立ちが異なる場合でも、ツルの端の球面座の挟持、固定状態を微調整することにより全世界の人々に利用が可能である。
【図１】
2004013679.tif 000003
【図２】
2004013679.tif 000004
【図３】
2004013679.tif 000005
【図４】
2004013679.tif 000006
【図５】
2004013679.tif 000007
【図６】
2004013679.tif 000008
【図７】
2004013679.tif 000009
【図８】
2004013679.tif 000010
【図９】
2004013679.tif 000011
【図１０】
2004013679.tif 000012
【図１１】
2004013679.tif 000013
【図１２】
2004013679.tif 000014
【図１３】
2004013679.tif 000015
【国際調査報告】
2004013679.tif 000016
2004013679.tif 000017